(57)【要約】【課題】水生生物の増殖、保護、及び育成を図ることが可能なハイブリッド礁及びそれを使用した水生生物の共生環境の創出方法を提供する。【解決手段】鋼材、伐採材、及び石材を混成して用いたハイブリッド礁１０は、稜線部が鋼材によって形成され周囲が開放された鋼製枠体１１と、鋼製枠体１１の上下方向中間位置及び底部位置にそれぞれ水平配置された第１及び第２の網部材１２、１３と、第１及び第２の網部材１２、１３の間に隙間を有して並べて配置された木材及び竹材のいずれか１又は双方からなる伐採材１５と、第１の網部材１２の上部に収納された複数の石材１６とを有し、河川又は湖沼の底に設置して、多様な水生生物の増殖、保護、及び育成を行う。【選択図】図１
2007104992.tif 000002
【特許請求の範囲】
【請求項１】
稜線部が鋼材によって形成され、周囲が開放された鋼製枠体と、
前記鋼製枠体の上下方向中間位置及び底部位置にそれぞれ水平配置された第１及び第２の網部材と、
前記第１及び第２の網部材の間に隙間を有して並べて配置された木材及び竹材のいずれか１又は双方からなる伐採材と、
前記第１の網部材の上部に収納された複数の石材とを有することを特徴とする鋼材、伐採材、及び石材を混成して用いたハイブリッド礁。
【請求項２】
請求項１記載のハイブリッド礁において、前記伐採材は所定長さに切断された間伐材からなって、複数の該間伐材が長手方向を上下にして水平方向に密接状態で並べて配置され、各列の間に前記隙間を形成するガイド部材が配置されていることを特徴とするハイブリッド礁。
【請求項３】
請求項１記載のハイブリッド礁において、前記伐採材は所定長さに切断された間伐材からなって、複数の該間伐材が長手方向を上下にして水平方向に並べて配置され、各列の間に前記隙間を形成する対となるガイド部材が設けられ、該隙間には節抜きした一定長さの竹材が水平に配置されていることを特徴とするハイブリッド礁。
【請求項４】
請求項１〜３のいずれか１項に記載のハイブリッド礁において、前記鋼製枠体の側方向周囲には、内部に配置された前記伐採材及び前記石材の流出を防止する木材流出防止部材及び石材流出防止部材が設けられていることを特徴とするハイブリッド礁。
【請求項５】
請求項１〜４のいずれか１項に記載のハイブリッド礁において、前記第１の網部材の開口寸法は前記第２の網部材の開口寸法より小さいことを特徴とするハイブリッド礁。
【請求項６】
請求項１〜５のいずれか１項に記載のハイブリッド礁において、前記鋼製枠体の底部の外側には複数の脚が突出して形成されていることを特徴とするハイブリッド礁。
【請求項７】
請求項１〜６のいずれか１項に記載のハイブリッド礁を河川又は湖沼の底に設置して、前記隙間を魚類の生息空間に、前記伐採材同士の間隙及び前記石材同士の間隙を水生小動物の生息空間及び稚幼魚の隠れ場所としてそれぞれ利用すると共に、前記石材及び前記伐採材の表面を藻類の着生基材及び有機物の付着基材として利用して、多様な水生生物の増殖、保護、及び育成を行うことを特徴とする水生生物の共生環境の創出方法。
【発明の詳細な説明】
【技術分野】
【０００１】
本発明は、例えば、河川又は湖沼等に生息する水生生物の増殖、保護、及び育成を図るハイブリッド礁及びそれを使用した水生生物の共生環境の創出方法に関する。
【背景技術】
【０００２】
従来、河川においては、利水、治水、及び洪水に伴う水害対策の観点から、多目的ダムの建設、河道の直線化、及び護岸工事が行われ、多くのビオトープ（水生生物の生活圏）が喪失している。このため、近年、ビオトープの保全、再生、及び回復に向けて、いわゆる「多自然型川づくり」が推進されている。例えば、護岸工事によって失われたビオトープを回復するため、親水機能を備えた空洞型のコンクリート魚巣ブロックや積み石型のコンクリート魚巣ブロック（例えば、特許文献１参照）を使用した護岸整備や、木材を井桁状に組み内部に石材を詰めた木工沈礁（例えば、特許文献２参照）を漁礁として配置する川底整備が行われ、治水上の安全性を確保しながら水生生物の生息空間の確保も図られている。
【０００３】
【特許文献１】特開平１１−１８１７４２号公報
【特許文献２】特開２００３−１０５７４０号公報
【発明の開示】
【発明が解決しようとする課題】
【０００４】
しかしながら、上記のコンクリート魚巣ブロックや木工沈礁では、設置してから時間が経過すると、コンクリート魚巣ブロックの間隙内、木工沈礁に使用している詰め石の間隙内、コンクリート魚巣ブロック内の空洞内に土砂が侵入し堆積して間隙や空洞が消滅し、水生生物の生息空間としての機能が消失してしまうという問題がある。
【０００５】
本発明はかかる事情に鑑みてなされたもので、土砂及び礫の堆積による水生生物の生息空間の消失を防止して水生生物の増殖、保護、及び育成を図ることが可能なハイブリッド礁及びそれを使用した水生生物の共生環境の創出方法を提供することを目的とする。
【課題を解決するための手段】
【０００６】
前記目的に沿う本発明に係るハイブリッド礁は、稜線部が鋼材によって形成され、周囲が開放された鋼製枠体と、
前記鋼製枠体の上下方向中間位置及び底部位置にそれぞれ水平配置された第１及び第２の網部材と、
前記第１及び第２の網部材の間に隙間を有して並べて配置された木材及び竹材のいずれか１又は双方からなる伐採材と、
前記第１の網部材の上部に収納された複数の石材とを有する。
【０００７】
本発明に係るハイブリッド礁において、前記伐採材は所定長さに切断された間伐材からなって、複数の該間伐材が長手方向を上下にして水平方向に密接状態で並べて配置され、各列の間に前記隙間を形成するガイド部材が配置されていることが好ましい。
【０００８】
本発明に係るハイブリッド礁において、前記伐採材は所定長さに切断された間伐材からなって、複数の該間伐材が長手方向を上下にして水平方向に並べて配置され、各列の間に前記隙間を形成する対となるガイド部材が設けられ、前記隙間には節抜きした一定長さの竹材を水平に配置することができる。
【０００９】
本発明に係るハイブリッド礁において、前記鋼製枠体の側方向周囲には、内部に配置された前記伐採材及び前記石材の流出を防止する木材流出防止部材及び石材流出防止部材が設けられていることが好ましい。
【００１０】
本発明に係るハイブリッド礁において、前記第１の網部材の開口寸法は前記第２の網部材の開口寸法より小さいことが好ましい。
【００１１】
本発明に係るハイブリッド礁において、前記鋼製枠体の底部の外側には複数の脚が突出して形成されていることが好ましい。
【００１２】
前記目的に沿う本発明に係る水生生物の共生環境の創出方法は、本発明に係るハイブリッド礁を河川又は湖沼の底に設置して、前記隙間を魚類の生息空間に、前記伐採材同士の間隙及び前記石材同士の間隙を水生小動物の生息空間及び稚幼魚の隠れ場所としてそれぞれ利用すると共に、前記石材及び前記伐採材の表面を藻類の着生基材及び有機物の付着基材として利用して、多様な水生生物の増殖、保護、及び育成を行う。
【発明の効果】
【００１３】
請求項１〜６記載のハイブリッド礁においては、ハイブリッド礁が鋼製枠体の単位で構成されているため、工場でハイブリッド礁を作製して設置場所まで移動し、そのまま設置場所（河川又は湖沼の底）に据え付けることが可能になる。その結果、効率的かつ安価にハイブリッド礁の作製を行うことができると共に、ハイブリッド礁を短期間で設置することが可能になる。更に、ハイブリッド礁の設置に際しては、設置場所ではハイブリッド礁の搬入作業及び据え付け作業しか発生しないので、設置場所及びその周辺における環境破壊を防止することが可能になる。
また、鋼製枠体内に石材を収納することによりハイブリッド礁の重量が重くなって、ハイブリッド礁が設置場所から移動するのを防止できる。なお、隙間の上には第１の網部材が取付けられているので石材が隙間内に落下するのを防止できる。
【００１４】
特に、請求項２記載のハイブリッド礁においては、ガイド部材が配置されているため並べた間伐材のずれを防止して隙間を長期間に渡って安定して維持することができ、隙間内に侵入した土砂を隙間内を通過する水流によって容易に掃去して隙間に土砂が堆積するのを防止することが可能になる。また、隙間を水生生物の生息空間として長期間に渡って確保することが可能になる。更に、間伐材を使用することで、森林整備における廃棄物の発生を減少させることが可能になる。
【００１５】
請求項３記載のハイブリッド礁においては、節抜きした竹材を使用することで、隙間内に筒状空間を容易に形成することができ、筒状空間を好む水生生物（例えば、ウナギ）の生息空間を容易に形成することが可能になる。更に、竹材同士の間に形成される間隙は小さな水生生物の生息空間として利用できる。そして、竹材内及び竹材の周囲を水流が通過するので、侵入した土砂を通過する水流によって容易に掃去でき、竹材内及び竹材同士の間隙内に土砂が堆積するのを防止することが可能になる。なお、竹林整備により発生する伐竹材を使用するようにすると、廃棄物の発生を抑えながら健全な竹林の育成を図ることが可能になる。
【００１６】
請求項４記載のハイブリッド礁においては、木材流出防止部材及び石材流出防止部材により、水量が増加したり、水流の速度が大きくなっても、ハイブリッド礁の損傷を防止することが可能になる。
【００１７】
請求項５記載のハイブリッド礁においては、第１の網部材により隙間に礫が侵入するのを防止することができると共に、隙間に侵入した土砂や礫は降下して第２の網部材に達し、第２の網部材を通過して隙間の外に排出できるので、隙間に土砂や礫が残留するのを防止することが可能になる。
【００１８】
請求項６記載のハイブリッド礁においては、脚を河川や湖沼の底にくい込ませるだけで、又は、据え付け作業で脚の先側を埋設するだけの掘削工事を河川や湖沼の底に施すだけで、ハイブリッド礁を容易に固定することが可能になる。また、脚の長さを調整することでハイブリッド礁の底部が河川や湖沼の底に接触するのを防止して、河川や湖沼の底を保全することが可能になる。
【００１９】
請求項７記載の水生生物の共生環境の創出方法においては、石材には珪藻及び藍藻等の藻類が着生して増殖するのでアユ、モロコ等の藻食魚類の餌場となり、伐採材に付着する有機物及び餌料動物は魚類の餌料として利用され、石材及び伐採材の間隙はモクズガニ、ヌマエビ等の小さな水生動物及び稚幼魚の外敵からの隠れ場となるので、多様な水生生物の増殖、保護、及び育成を図ることが可能になる。その結果、河川又は湖沼にハイブリッド礁を設置することで、ハイブリッド礁内に多様な水生生物の共生環境を創出することができる。
【発明を実施するための最良の形態】
【００２０】
続いて、添付した図面を参照しつつ、本発明を具体化した実施の形態につき説明し、本発明の理解に供する。
ここで、図１は本発明の第１の実施の形態に係るハイブリッド礁の斜視図、図２は同ハイブリッド礁の正断面図、図３は同ハイブリッド礁を異なる高さ位置で切断した際の平断面図、図４は本発明の第２の実施の形態に係るハイブリッド礁の正断面図、図５は同ハイブリッド礁の部分側断面図である。
【００２１】
図１〜図３に示すように、本発明の第１の実施の形態に係るハイブリッド礁１０は、鋼材、伐採材、及び石材を混成して用いるものであって、稜線部が鋼材によって形成され、周囲が開放された鋼製枠体１１と、鋼製枠体１１の上下方向中間位置及び底部位置にそれぞれ水平配置された第１及び第２の網部材１２、１３と、第１及び第２の網部材１２、１３の間に隙間１４を有して並べて配置された木材からなる伐採材の一例である間伐材１５と、第１の網部材１２の上部に収納された複数の石材の一例である自然石１６とを有している。以下、これらについて詳細に説明する。
【００２２】
鋼製枠体１１は、例えば、平面視して長方形の各頂点位置及び各長辺の中央位置にそれぞれ立設される６本の柱材１７と、長方形の短辺の両端位置の柱材１７の上端部同士を連結する対となる第１の上部梁材１８と、長方形の長辺の両端位置の柱材１７の上端部同士を連結する対となる第２の上部梁材１９と、長方形の短辺の両端位置の柱材１７の下部同士を連結する対となる第１の下部梁材２０と、長方形の長辺の両端位置の柱材１７の下部同士を連結する対となる第２の下部梁材２１とを有している。また、各柱材１７は、第１及び第２の下部梁材２０、２１との連結部よりも下側の部分が鋼製枠体１１の底部から外側に突出する脚２２を形成している。
鋼製枠体１１の稜線部を構成するこれらの柱材１７、第１、第２の上部梁材１８、１９、及び第１、第２の下部梁材２０、２１は、それぞれ幅が、例えば５〜１０ｃｍの鋼製のアングルを用いて形成されている。なお、鋼製枠体１１の寸法は、運搬手段（例えば、トラック）で搬送可能な大きさ（例えば、縦が１００〜３００ｃｍ、横が１５０〜６００ｃｍ、高さが５０〜２００ｃｍ）にする必要がある。
【００２３】
鋼製枠体１１の側方向周囲、すなわち、短辺側及び長辺側の側部の上下方向中間位置には、それぞれ幅が、例えば２〜５ｃｍの第１及び第２の木材流出防止部材２３、２４が柱材１７間に水平に設けられ、内部に配置される間伐材１５の流出を防止するようになっている。また、第１の上部梁材１８と第１の木材流出防止部材２３の上下方向中間位置及び第２の上部梁材１９と第２の木材流出防止部材２４の上下方向中間位置には、例えば２〜５ｃｍの幅を有する第１及び第２の石材流出防止部材２５、２６がそれぞれ柱材１７間に水平に設けられ、内部に配置される自然石１６の流出を防止するようになっている。更に、対向する第２の上部梁材１９の中央部間には、例えば２〜５ｃｍの幅を有する補強部材２７が２本並べて掛け渡されている。
【００２４】
また、対向する第１の木材流出防止部材２３には、所定幅（例えば、３〜１０ｃｍ）のガイド部材２８が、鋼製枠体１１の幅方向に一定の間隔を有して、鋼製枠体１１の長手方向に平行になるように掛け渡されている。ここで、ガイド部材２８の間に形成される間隔は、間伐材１５をその長手方向を上下にして挿入可能な寸法（例えば、５〜２０ｃｍ）とする。なお、第１及び第２の木材流出防止部材２３、２４、第１及び第２の石材流出防止部材２５、２６、補強部材２７、並びにガイド部材２８は、それぞれ鋼製のアングルを用いて形成されている。
【００２５】
鋼製枠体１１の上下方向中間位置に水平配置される第１の網部材１２の開口寸法は、例えば、１〜２ｃｍとし、鋼製枠体１１の底部位置に配置される第２の網部材１３の開口寸法は、例えば、３〜５ｃｍとして、第１の網部材１２の開口寸法を第２の網部材１３の開口寸法より小さくする。ここで、第１及び第２の網部材１２、１３には、例えば、エキスパンドメタルを使用することができる。
そして、第１及び第２の網部材１２、１３の間には、第１及び第２の網部材１２、１３間の長さと実質的に同一の長さに切り揃えられた間伐材１５が、各ガイド部材２８の間に互いに水平方向に密接状態で立設配置されている。更に、第１の網部材１２の上には自然石１６が多段に載置されている。
【００２６】
間伐材１５の各列の間にガイド部材２８が配置されているので、間伐材１５の側面で両側が囲まれる隙間１４（例えば、幅３〜１０ｃｍ）を形成することができる。そして、ハイブリッド礁１０を、その長手方向が河川の水流方向に一致するようにして河川の底に沈めると、ハイブリッド礁１０内に形成されている隙間１４の長手方向を河川の水流方向に一致させることができる。なお、ハイブリッド礁１０を河川の底に沈めた際、各脚２２の下端面にはハイブリッド礁１０の重量が分散して加わるため、各脚２２の先部は河川の底にくい込み、ハイブリッド礁１０を河川の底に容易に固定することができる。
【００２７】
そして、間伐材１５の上には第１の網部材１２が配置されているので、多段に載置された自然石１６が隙間１４に落下するのが防止される。また、水流に運ばれて自然石１６の上面に到達した礫の中で、大きな礫は自然石１６の間隙を通過できず、自然石１６の層に捕捉される。また、自然石１６の間を通過した礫は、第１の網部材１２で捕捉されて隙間１４内に侵入（落下）するのが阻止される。一方、粒径が小さく第１の網部材１２を通過して隙間１４内に侵入した礫及び土砂は、隙間１４を通過する水流に押し流されて隙間１４内を移動しハイブリッド礁１０の外に排出される。更に、河川の底の地盤構造及び強度に応じて脚２２の長さを調整すると、ハイブリッド礁１０の底部を河川の底から離した状態でハイブリッド礁１０を設置することができ、この場合は、隙間１４に侵入した礫は第２の網部材１３を通過して川底に排出される。
【００２８】
続いて、本発明の第１の実施の形態に係るハイブリッド礁１０を河川の底に設置して水生生物の共生環境を創出する方法について説明する。
先ず、ハイブリッド礁１０の設置場所として、例えば、固定堰又は可倒堰により水位の管理ができ、計画河床高さより低い河床となっている淵を選定する。計画河床高さより低い河床の淵に設置することにより、ハイブリッド礁１０を設置しても水流の妨げにならず、治水上の問題が生じない。また、水位の管理が可能なことにより、ハイブリッド礁１０を常時水没させることができ、ハイブリッド礁１０の周辺に魚類を常時存在させることができる。
【００２９】
次いで、水位の管理幅と淵の広さに応じてハイブリッド礁１０の寸法を決める。ここで、ハイブリッド礁１０の最大寸法は運搬手段の積載能力により決定されるので、淵の領域が広い場合は、ハイブリッド礁１０を複数並べて淵の全領域が覆われるように設置する。ここで、ハイブリッド礁１０は、予め作製した鋼製枠体１１の底部位置に第２の網部材１３を配置してから第１及び第２の木材流出防止部材２３、２４、並びにガイド部材２８を取付け、ガイド部材２８の間に間伐材１５を立設配置してから第１の網部材１２を配置し、更に第１及び第２の石材流出防止部材２５、２６を取付けてから第１の網部材１２の上に自然石１６を多段に載置することにより作製する。
なお、ハイブリッド礁１０の上流側の底には蛇籠を設置することが好ましい。蛇籠を設置することでハイブリッド礁１０に向けて流れ込む水流の勢いを減少させて、ハイブリッド礁１０を設置した周辺の底が水流でえぐられたり、ハイブリッド礁１０が水流で下流側に押し流されるのを防止することができると共に、ハイブリッド礁１０に運び込まれる土砂及び礫の量を減少させてハイブリッド礁１０が埋没するのを防止できる。
【００３０】
以上のようにして河川の底に設置されたハイブリッド礁１０では、自然石１６の表面は特に藻類の着生基材として作用するため珪藻及び藍藻等の藻類が着生して増殖する。また、間伐材１５の表面は藻類の着生基材及び有機物の付着基材として作用するため藻類や有機物を餌とする微小水生生物が棲息するようになる。このため、自然石１６に着生した藻類を餌とするアユ、モロコ等の藻食魚類、間伐材に着生した藻類、付着した有機物、及び微小水生生物を餌とするモクズガニ、ヌマエビ等の小さな水生動物、並びに稚幼魚が集まる。そして、魚介類からの排泄物を養分として藻類及び微小水生生物が増殖することになる。更に、ハイブリッド礁１０内の隙間１４はアユ、モロコ等の藻食魚類の生息空間となり、間伐材１５同士の間隙及び自然石１６同士の間隙はモクズガニ、ヌマエビ等の小さな水生小動物及び稚幼魚の外敵からの避難場所やすみかとなる。その結果、ハイブリッド礁１０内に多様な水生生物の共生環境が創出される。
【００３１】
例えば、河川バイパス工事によりコンクリート及び矢板鋼護岸が整備された河川で、水位管理ができ、計画河床高さより低い河床となっている淵にハイブリッド礁１０を設置した場合、設置から７〜８カ月経過後、潜水調査ではハイブリッド礁１０の周辺で約１０種の魚類の棲息が確認され、河川の一側からハイブリッド礁１０を通過して他側に向かう方向における調査（河川横断ラインセクト調査）でもハイブリッド礁１０の周辺に魚類が集中分布していることが確認された。更に、ハイブリッド礁１０の上部ではアユが藻類を食べる「はみ行動」が観察され、自然石１６の表面には藻類が部分的に噛み切られている「はみあと」が確認された。
【００３２】
図４、図５に示すように、本発明の第２の実施の形態に係るハイブリッド礁２９は、第１の実施の形態に係るハイブリッド礁１０と比較して、ガイド部材２８の代りに隙間１４より広い隙間３２（例えば、２０〜３０ｃｍ）を形成する対となるガイド部材３０を水平方向に複数配置し、隣り合う対となるガイド部材３０の間には間伐材１５を長手方向を上下にして水平方向に並べ、隙間３２に節抜きした一定長さの竹材３１を水平に積み重ねて配置することが特徴となっている。このため、同一の構成部材に対しては同一の符号を付して詳細な説明を省略する。なお、水平方向に配置される竹材３１は、長手方向に間隔Ｃを設けて並べて配置する。
【００３３】
竹材３１としては、節を抜いた際に内側に３〜１０ｃｍの内径を有する筒状の空間部が形成される外径Ｄを有するものを使用する。そして、竹材３１は長さＬを、例えば、５０〜１００ｃｍに切り揃えて、３０〜５０ｃｍの間隔Ｃを設けて隙間３２に配置する。竹材の長さＬを５０ｃｍ以上とすることで、例えば、ウナギ等の筒状の空間部を好む水生生物の棲息空間を形成することができ、１００ｃｍ以下の長さとすることで、棲息空間への進入及び棲息空間からの脱出が容易になる。そして、間隔Ｃを設けて竹材３１を配置することで、竹材３１のいずれの側からでも進入及び脱出が可能になる。
【００３４】
竹材３１は、鋼製枠体１１内でガイド部材３０に沿って立設配置されている間伐材１５の間で形成される隙間３２に、その長手方向をガイド部材３０の軸方向に沿って間隔Ｃを設けて順次配置するようにしてもよいが、隙間３２に挿入できる幅と、第１及び第２の網部材１２、１３の間に収容可能な高さを有するように竹材３１をその両端位置を揃えながら積み重ねて結束部材で固定した集合体を予め形成し、この集合体を間隔Ｃを設けて並べるようにしてもよい。
なお、本発明の第２の実施の形態に係るハイブリッド礁２９を河川の底に設置して水生生物の共生環境を創出する方法では、隙間３２に竹材３１が配置されて竹材３１の内側にウナギ等の筒状の空間部を好む水生生物の棲息空間が形成されることを除くと、ハイブリッド礁２９の作用は第１の実施の形態に係るハイブリッド礁１０の作用と実質的に同一である。このため、ハイブリッド礁２９の作用についての説明は省略する。
【００３５】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明のハイブリッド礁及びそれを使用した水生生物の共生環境の創出方法を構成する場合も本発明の権利範囲に含まれる。
例えば、第１及び第２の網部材にエキスパンドメタルを使用したが、パンチングメタル金網、及び合成樹脂製の網のいずれかを単独で又は組み合わせて使用してもよい。また、柱材の先部を鋭角にして、脚が河川の底に容易にくい込むようにしてもよい。更に、ハイブリッド礁の固定を確実にするため、脚を長くして脚と接触する河川の底の部分を掘削して脚のくい込み部分を大きくすることもできる。
【００３６】
前記実施の形態では、伐採材として木材を使用したが、竹材を使用してもよい。また、木材と竹材を混在させるようにすることもできる。
更に、ハイブリッド礁を河川の底に設置する場合について説明したが、湖沼の底にすることもできる。湖沼では河川に比較して水流が無視でき、隙間内への土砂の侵入は軽微になるが、隙間の伸びる方向を湖沼で生じる波の方向に合わせると、隙間に侵入した土砂を水流で排出することが期待できる。
【図面の簡単な説明】
【００３７】
【図１】本発明の第１の実施の形態に係るハイブリッド礁の斜視図である。
【図２】同ハイブリッド礁の正断面図である。
【図３】同ハイブリッド礁を異なる高さ位置で切断した際の平断面図である。
【図４】本発明の第２の実施の形態に係るハイブリッド礁の正断面図である。
【図５】同ハイブリッド礁の部分側断面図である。
【符号の説明】
【００３８】
１０：ハイブリッド礁、１１：鋼製枠体、１２：第１の網部材、１３：第２の網部材、１４：隙間、１５：間伐材、１６：自然石、１７：柱材、１８：第１の上部梁材、１９：第２の上部梁材、２０：第１の下部梁材、２１：第２の下部梁材、２２：脚、２３：第１の木材流出防止部材、２４：第２の木材流出防止部材、２５：第１の石材流出防止部材、２６：第２の石材流出防止部材、２７：補強部材、２８：ガイド部材、２９：ハイブリッド礁、３０：ガイド部材、３１：竹材、３２：隙間
【図１】
2007104992.tif 000003
【図２】
2007104992.tif 000004
【図３】
2007104992.tif 000005
【図４】
2007104992.tif 000006
【図５】
2007104992.tif 000007